(57)【要約】【課題】楽器本体への加工を極力少なくし楽器の美観を損ねず、かつ演奏性の良さも持ち複数の弦を一つの装置の操作の仕方で任意に操作出来るようにする。【解決手段】二方向に回転するレバーを設け、回転させる方向によって内部に繋がれたワイヤーが引っ張られ弦の乗った部位が回転し、それぞれの弦の張力が変わり音程を変えることを特徴とする。【特許請求の範囲】
【請求項１】
ギター演奏のストリングベンダー奏法に於いて、ギターストラップを用いストラップを掛けた肩を支点にストラップピンを兼ねた力点レバーがギターの動かし方に対応した回転をすることにより内部機構が連動し弦の張力が変わり音程を変えることを特徴とするストリングベンダー。
【請求項２】
レバーの操作方法によって異なる任意の弦のベンドを行うことが出来るため、操作を直感的に行うことができ、高い演奏性を持つことが期待できるストリングベンダー。
【請求項３】
複数の弦の操作系統を一つにまとめたことによりコンパクトな機構になり、楽器本体に内蔵する際の加工が少なくて済み、外観は一見してストリングベンダーを搭載している事が解りにくい自然な見た目を期待できるストリングベンダー。
【請求項４】
複数の弦の操作系統を一つにまとめたことにより、装置が単純化できトラブルの軽減が期待できるストリングベンダー。
【請求項５】
ストラップをかけるレバー部とベンドする弦が乗っているブリッジ部で構成され、レバー部とブリッジ部はワイヤーで繋がっている事を特徴とするストリングベンダー。
【発明の詳細な説明】
【技術分野】
【０００１】この発明は、ギターの演奏に用いるストリングベンダーに関するものである。
【背景技術】
【０００２】ギター演奏において、何らかの方法によって弦の張力を変え音程を変化させることをベンディングやベンドする、という。
日本では演奏者の指によって弦の張力を変える奏法をチョーキングというが国際的には通じない。
不思議な事に日本でもチョーキング以外の弦の張力を変える事により音程変化させる奏法はベンドという。
以下、弦の張力を変え音程を変化させることをベンド、ベンディングとする。
ペダルスチールギターにはその名の通り、踏むことによって弦の張力を変え音程を変化させるペダルが付いている。
ペダルスチールギターのような奏法をギター演奏に取り込む目的で開発されたものがストリングベンダーである。
従来のギターの演奏に用いるストリングベンダーはギター本体に何らかの装置を取付け、通常通りの演奏は行いながら演奏時に不自由になる両手の代わりに機械的に任意の弦を任意の音程にベンディングするものである。
またストリングベンダーは手で行うベンディングを装置が代わりに行い演奏に支障が出ないように補助するだけでなく、手のみでは不可能な演奏を実現出来るメリットがある。
【発明が解決しようとする課題】
【０００３】しかし従来のストリングベンダーのタイプは装置を取り付けるためにギター本体の木部のかなりの部分を掘り込む加工が必要になるため、ギター本来の音色が変わってしまったり、強度も落ちてしまう。
また取り付けは大掛かりな改造になるため、業者に取り付け加工を依頼した際には高額な作業費と長い作業日数を要する場合もある。
【０００４】多くのストリングベンダーは装置を取り付けたギターを見ると一見して取り付けてある事がわかるため、人によっては楽器の美観を損ねるとして敬遠する場合がある。
また高額な楽器や歴史的価値のある楽器に大がかりな改造を施すのを躊躇う人も多い。
【０００５】過去と比べ、ストリングベンダーの種類は増え大掛かりな改造を必要とする内蔵型だけでなく個人でも取り付け可能な外付け型も出現し、中には取り付けにほぼ加工を必要としない物も存在する。
しかし外付け型は取り付けてある事が一見してわかるので、やはり美観の面で敬遠する人も多い。
【０００６】外付け型の場合はギタースタンドによっては装置が邪魔をして通常通り置けない場合がある。
装置の重量や材質によっては、外付け型とはいえ音色に影響する場合もある。
【０００７】ギターは立って演奏することが多いため、ストリングベンダーの種類によっては自由な動きを制限しギター演奏に不可欠なステージ上でのアクションに影響を与えてしまう場合がある。
【０００８】ストリングベンダーは任意の弦の音程を変化させる装置だが、基本的に一装置で一つの弦の音程変化を担う。
【０００９】二つの弦をベンドできるギターを作る場合は内蔵型と外付け型を併用したり、工夫して二つとも内蔵しているものも見かける。
外付け型を複数併用する事は不可能ではないがスペースの問題で取り付け不可な場合が多い。
二つの装置を取り付けられたとしても演奏に難が出る場合もある。
【課題を解決するための手段】
【００１０】ギター演奏のストリングベンダー奏法に於いて、ギターストラップを用いストラップを掛けた肩を支点に（７）ストラップピンを兼ねた力点（５）レバーがギターの動かし方に対応した回転をすることにより内部機構が連動し弦の張力が変わり音程を変える。
【００１１】本装置は大きく分けてストラップをかける（５）レバー部とベンドする弦が乗っている（６）ブリッジ部で構成される。
【００１２】（５）レバー部にはストラップをかける（７）ストラップピンを設ける。
【００１３】（５）レバー部と（６）ブリッジ部は（３）ワイヤーで繋がっておりレバーの動きに連動して最終的には弦が乗っているユニットが前後に動くことで弦の張力を変える。
【００１４】弦を引っ張る１つ目の機構はギターを肩を支点に前に押し出すと（５）レバーがギターから離れる向きに（５）レバーの持つ軸を中心に回転するが軸が偏芯しているため回転により軸が動く。
動作前を図１０、動作中を図１４にそれぞれ示す。
軸は（３）ワイヤーを引っ張る機構に繋がっているため連動して（３）ワイヤーが引っ張られる。
【００１５】二つ目の機構はギターを肩を支点に押し下げると（５）レバーが回転し、内部の（１２）カムが動き繋がれた（３）ワイヤーが引っ張られる。
動作前を図１２、動作中を図１５にそれぞれ示す。
【００１６】装置には（５）レバーを引っ張る強さを調整する機構を設ける。
どちらの機構も力を緩めれば弦の張力の戻ろうとする力と内部機構のバネによって元の音程に戻る。
弦の張力だけでなくバネを必要とする理由は、弦の張力だけでは引っ張りの力が弱く、演奏者が少し動いただけで（５）レバーが動いてしまう事が想定されるからである。
また重力も常にかかり続けるのでギター本体の重さでも（５）レバーが動いてしまう事が想定される。
レバーは演奏者が意識して力を加えた時にだけ動作させられるようにする必要がある。
【００１７】（５）レバー部のそれぞれの機構により引っ張られた（３）ワイヤーは（６）ブリッジ部の柄に繋がっており（６）ブリッジサドルを軸にして弦の載る部位が前後に動く。
動作前を図２２、動作中を図２３にそれぞれ示す。
【００１８】ストリングベンダーは単に弦の張力を変えられればいいというものではなく、設定した任意の音程に正確にベンドし、力を緩めた際は元の音程に正確に戻る必要がある。
（５）レバー部にベンドした際の音程を調整するための機構を設ける。
音程調整機構は各弦毎に設ける。
【００１９】ギターストラップは本来、立って演奏する為に用いられるが座っていてもこのストリングベンダーを操作することは可能である。
【発明の効果】
【００２０】従来のものと異なる点は一本の（５）レバーの動かし方によって異なる弦のベンドを行うことが出来る点である。
操作は一本の（５）レバーのみで行えるため直感的に扱うことができ、高い演奏性を持つことを期待できる。
【００２１】二種の弦の系統が一つにまとまっているため大変コンパクトな機構になり、装置自体の値段はもとより場合によっては楽器改造の加工賃が安価で済むことも期待できる。
装置はシンプルな構造のため、機械的トラブルが軽減されることも期待できる。
【００２２】ギターへの加工が少なくて済むのでダメージも少なく、改造にかかる時間も従来品より少なくて済む可能性もある。
【００２３】基本的に図１のテレキャスター（登録商標）タイプのギターに取り付けることを想定してはいるが、どのギターにも取り付けは可能である。
テレキャスタータイプの場合は加工する箇所が（１）ピックガードの下に隠れるため取り付けたのギターを正面から見ただけでは装置が内蔵されている事はほぼわからない。
【００２４】使用しない場合はギターに元から付いているストラップピンにストラップを付けかえるだけでよい。
【発明を実施するための形態】
【００２５】一般的なギターはその素材としてほぼ木材が用いられる。
よってこの装置は木材に装着する事を想定する必要があり、限定はしないが木材に固定する事が出来る金属等での製造を推奨する。
【００２６】図１はストリングベンダーが取り付けられる事の多いテレキャスタータイプである。
図２のテレキャスタータイプのボディに図３のようにネックジョイント部からブリッジ部にかけて装置を組み込む溝や穴を設け、ネジ止め等によってボディに固定する。
図３ではストリングベンダーがよく使用される２弦部と３弦部に取り付けるための溝を掘っているが、別の弦にも取り付けることは可能である。
【００２７】ギターのボディには図１０のように弦の振動をアンプに出力するピックアップをはじめ、いくつかの部品が備わっている為、取り付けるストリングベンダーはそれらに干渉しないような形状にする必要がある。
【００２８】図面はもっぱら解説のためのものであって、本発明の技術的範囲を限定するものではない。
【００２９】図１１のように溝を設ける際はストリングベンダーを使用する弦を正確にベンド出来るよう（３）ワイヤーと弦が正面から見て一直線上になるように注意する。
（４）プーリーを設けワイアーが直線的に動作するように（４）プーリー部で（３）ワイヤーにテンションをかける。
【００３０】装置を組み込んだらギターに弦を張り調弦する。
【００３１】図１１は装置を組み込んだボディの正面図、図１３は装置を組み込んだ右側面図の断面図である。
図１３を見てのとおり、ボディから露出する部分は（５）レバーと（６）ブリッジのみであるため、装置を組み込んであることはほぼわからない。
【００３２】（５）レバーは図１４のように（７）ストラップピンを引っ張りボディから離れる向きの動きと、図１５のように右に傾く動きの二種類の動きによりそれぞれの弦をベンドする。
【００３３】（５）レバーが図１４のような状態にあるときは図１６のように正面向かって左側の（３）ワイヤーが引っ張られ（６）ブリッジのサドルが動く。
この時、図１９の（１３）バネが縮むことで（５）レバーの戻ろうとする力が働く。
弦自体が縮もうとする力も加わる。
動作時の詳細な図を図２０および図２１に示す。
【００３４】レバーを動かした装置は図１９の（１３）バネを挟む上下の部材がぶつかるところで止まる。
この上下の部材の間隔を調整することでベンドした際の音程の変化量を決める。
【００３５】（５）レバーが図１５のような状態にあるときは図１７のように正面向かって右側の（３）ワイヤーが引っ張られ（６）ブリッジのサドルが動く。
この時、（８）のバネが伸びることで（５）レバーの戻ろうとする力が働く。
弦自体が縮もうとする力も加わる。
【００３６】さらに引っ張りの強さを調整できる（９）（１０）バネも設ける。
調整用のバネがついた（１４）調整具に設けられた穴には（３）ワイヤーが通っており（１４）調整具と（３）ワイヤーの固定する位置を変えることや、バネの（１５）固定具の位置を変えることでバネの引っ張り量を変え（５）レバーの動く重さを変える。
【００３７】ベンドした際の音程の変化量は図１８の（１１）ネジを回し、出っ張り具合によって調整する。
（１２）カムがネジに当たったところで止まる。
【００３８】（３）ワイヤーによって引っ張られた（６）ブリッジ部の詳細な動きを図２２および図２３に示す。
弦の乗った部位が（６）ブリッジの軸を中心に回転し、上に乗った弦の張力を変える。
【図面の簡単な説明】
【図１】  テレキャスタータイプの全景図。
【図２】  テレキャスタータイプのボディ正面図。
【図３】  テレキャスタータイプのボディに溝加工を施した図。
【図４】  本発明の全景斜視図。
【図５】  本発明の正面図。
【図６】  本発明の背面図。
【図７】  本発明の右側面図。
【図８】  本発明の左側面図。
【図９】  テレキャスタータイプのボディの側面図。
【図１０】  テレキャスタータイプのボディの右側面図の断面図。
【図１１】  テレキャスタータイプのボディに装置を組み込んだ正面図。
【図１２】  テレキャスタータイプのボディに装置を組み込んだ背面図。
【図１３】  テレキャスタータイプのボディに装置を組み込んだ右側面図の断面図。
【図１４】  図１３のレバー可動図。
【図１５】  図１２のレバー可動図。
【図１６】  図１４時の正面図。
【図１７】  図１５時の正面図。
【図１８】  図１７時にレバーが動く量を出っ張り量で制限する調整ネジ。
【図１９】  レバー動作部拡大図。
【図２０】  レバー動作部拡大図。
【図２１】  図２０が動作した図。
【図２２】  ブリッジ動作部拡大図。
【図２３】  図２２が動作した図。
【符号の説明】１：ピックガード
２：ピックアップが入る掘り込み
３：ワイヤー
４：プーリー
５：レバー
６：ブリッジ
７：ストラップピン
８：バネ
９：バネ
１０：バネ
１１：ネジ
１２：カム
１３：バネ
１４：調整具
１５：バネの固定具
【図１】
2017102419.tif 000002
【図２】
2017102419.tif 000003
【図３】
2017102419.tif 000004
【図４】
2017102419.tif 000005
2017102419.tif 000006
2017102419.tif 000007
【図９】
2017102419.tif 000008
【図１０】
2017102419.tif 000009
【図１１】
2017102419.tif 000010
【図１２】
2017102419.tif 000011
【図１３】
2017102419.tif 000012
【図１４】
2017102419.tif 000013
【図１５】
2017102419.tif 000014
【図１６】
2017102419.tif 000015
【図１７】
2017102419.tif 000016
【図１８】
2017102419.tif 000017
【図１９】
2017102419.tif 000018
【図２０】
2017102419.tif 000019
【図２１】
2017102419.tif 000020
【図２２】
2017102419.tif 000021
【図２３】
2017102419.tif 000022
【手続補正書】
【提出日】平成28年7月20日(2016.7.20)
【手続補正２】
【補正対象書類名】図面
【補正対象項目名】全図
【補正方法】変更
【補正の内容】
【図１】
2017102419.tif 000023
【図２】
2017102419.tif 000024
【図３】
2017102419.tif 000025
【図４】
2017102419.tif 000026
【図５】
2017102419.tif 000027
【図６】
2017102419.tif 000028
【図７】
2017102419.tif 000029
【図８】
2017102419.tif 000030
【図９】
2017102419.tif 000031
【図１０】
2017102419.tif 000032
【図１１】
2017102419.tif 000033
【図１２】
2017102419.tif 000034
【図１３】
2017102419.tif 000035
【図１４】
2017102419.tif 000036
【図１５】
2017102419.tif 000037
【図１６】
2017102419.tif 000038
【図１７】
2017102419.tif 000039
【図１８】
2017102419.tif 000040
【図１９】
2017102419.tif 000041
【図２０】
2017102419.tif 000042
【図２１】
2017102419.tif 000043
【図２２】
2017102419.tif 000044
【図２３】
2017102419.tif 000045